(57)【特許請求の範囲】
【請求項１】
防眩層と、この防眩層の一面に設けられて情報表示体の情報表示部に貼られる透光性の貼着層と、該防眩層の他面に設けられる透光層とを含んでなる情報表示体用の覗き見防止体であって、
上記防眩層を、透明シリコーンゴムシートと着色シリコーンゴムシートとを交互に重ねて一体化することにより形成するとともに、これら透明シリコーンゴムシートと着色シリコーンゴムシートの接合面を相互に略平行にし、上記貼着層の貼り付け面を鏡面状で平滑な透光性粘着面に形成したことを特徴とする情報表示体用の覗き見防止体。
【請求項２】
上記防眩層を、厚さ０．１５〜０．２５ｍｍ、透明性８０％以上、可視角９０°〜１２０°に形成し、上記透明シリコーンゴムシートの幅を１００〜２００μｍに形成するとともに、上記着色シリコーンゴムシートの幅を１０〜５０μｍに形成し、上記透光層の厚さを０．１〜０．５ｍｍとした請求項１記載の情報表示体用の覗き見防止体。
【請求項３】
上記情報表示体の情報表示部と上記貼着層との粘着強度を０．３０〜０．８０Ｎ／２５ｍｍとし、該貼着層の透光性粘着面における鏡面光沢度を１２０％以上とした請求項１又は２記載の情報表示体用の覗き見防止体。
【発明の詳細な説明】
【０００１】
【発明の属する技術分野】
本発明は、携帯電話、携帯情報端末、カード等の暗号番号入力端末等からなる情報表示体に使用され、本人以外の第三者が情報を視認するのを不可能、あるいは困難にする情報表示体用の覗き見防止体に関するものである。
【０００２】
【従来の技術】
携帯電話、携帯情報端末(例えば、ＰＤＡ等)、カード等の暗号番号入力端末等からなる情報表示体は、本人の操作に基づき、その情報表示部である液晶ディスプレイに各種の情報を表示する。この情報表示体は、情報が本人に伝達されるのを主目的とするが、本人の傍らに第三者が存在する場合等には、本人のみならず、第三者にも情報が視認・把握されることとなる。
【０００３】
【発明が解決しようとする課題】
情報表示体は、以上のように液晶ディスプレイに各種の情報が単に表示されるだけなので、本人の傍らに第三者が存在する場合、その第三者にも情報が簡単に伝わることとなり、結果として情報の漏洩を有効に防止することができないという問題がある。また、情報表示体を操作する際、情報を視認するため、太陽光や蛍光灯等の不要な外光を遮断したり、コントラストを向上させたり、あるいは可視角の範囲の調整に迫られることがある。しかしながら、この場合、液晶ディスプレイを手で覆ったり、情報表示体を傾けたり、あるいは情報表示体の向きを変えなくては、良好な視認性を到底確保することができず、実に不便である。
【０００４】
これらの問題を解消する手段として、情報表示体の液晶ディスプレイにシートやフィルムからなる覗き見防止体を貼着する方法が提案されている。しかしながら、単なる覗き見防止体では、上記課題をある程度解決することができるものの、覗き見防止体の可視角を広範囲で変化させることができず、結果として情報の漏洩のおそれが少なくない。また、液晶ディスプレイに対する覗き見防止体の接着度が強過ぎると、位置ズレの場合等に覗き見防止体を簡単に剥離することができず、無理に剥離すると液晶ディスプレイを損傷させるおそれがある。逆に、覗き見防止体の接着度が弱過ぎると、液晶ディスプレイから覗き見防止体が短期間のうちに剥がれ、情報が漏洩することとなる。
【０００５】
本発明は、上記に鑑みなされたもので、情報の漏洩を抑制防止し、しかも、液晶ディスプレイ等を手で覆ったり、情報表示体を傾けたり、あるいは情報表示体の向き等を特に変えなくても、情報を把握することのできる情報表示体用の覗き見防止体を提供することを目的としている。また、可視角を広範囲で変化させることができ、情報表示部に対して適度な力で貼り付く情報表示体用の覗き見防止体を提供することを他の目的としている。
【０００６】
【課題を解決するための手段】
請求項１記載の発明においては、上記課題を達成するため、防眩層と、この防眩層の一面に設けられて情報表示体の情報表示部に貼られる透光性の貼着層と、該防眩層の他面に設けられる透光層とを含んでなるものであって、
上記防眩層を、透明シリコーンゴムシートと着色シリコーンゴムシートとを交互に重ねて一体化することにより形成するとともに、これら透明シリコーンゴムシートと着色シリコーンゴムシートの接合面を相互に略平行にし、上記貼着層の貼り付け面を鏡面状で平滑な透光性粘着面に形成したことを特徴としている。
【０００７】
なお、上記防眩層を、厚さ０．１５〜０．２５ｍｍ、透明性８０％以上、可視角９０°〜１２０°に形成し、上記透明シリコーンゴムシートの幅を１００〜２００μｍに形成するとともに、上記着色シリコーンゴムシートの幅を１０〜５０μｍに形成し、上記透光層の厚さを０．１〜０．５ｍｍとすることが好ましい。また、上記情報表示体の情報表示部と上記貼着層との粘着強度を０．３０〜０．８０Ｎ／２５ｍｍとし、該貼着層の透光性粘着面における鏡面光沢度を１２０％以上とするのが好ましい。
【０００８】
ここで、特許請求の範囲における防眩層、貼着層、及び透光層はそれぞれ略フィルム状(フィルムとシートのいずれもが含まれる)であるのが好ましい。情報表示体には、少なくとも携帯電話、携帯情報端末、カード等の暗号番号入力端末等が含まれる。また、略平行には、厳密な意味の平行と、おおよそ平行と認められるもののいずれもが含まれる。また、情報表示体用の覗き見防止体は、正方形や長方形に形成されるのが主であるが、多角形、円形、楕円形等でも良い。覗き見防止体の周縁部は、単数複数の切り欠きが形成されたものでも良いし、連続した波形や山形等でも良い。
【０００９】
請求項１記載の発明によれば、シリコーンゴムが透明性、耐熱性、耐薬品性等に優れ、しかも、顔料や染料等を添加すれば、任意に着色することができるのに着目し、情報表示体用の覗き見防止体の防眩層を、透明シリコーンゴムシートと着色シリコーンゴムシートとを交互に重ねて一体化し、透明シリコーンゴムシートと着色シリコーンゴムシートの接合面を互いに略平行の関係にするので、不要な外光を遮ることができる。また、情報表示部に表示された各種の情報を遮って本人以外の第三者に情報が伝わるのを抑制あるいは防止することができる。
【００１０】
また、請求項２記載の発明によれば、透明シリコーンゴムシートの幅を１００〜２００μｍに形成するとともに、着色シリコーンゴムシートの幅を１０〜５０μｍに形成し、透明シリコーンゴムシートと着色シリコーンゴムシートの重なり幅を調整するので、情報表示体用の覗き見防止体の可視角を広範囲で変化させることができる。
【００１１】
【発明の実施の形態】
以下、図面を参照して本発明の好ましい実施形態を説明すると、本実施形態における情報表示体用の覗き見防止体は、図１に示すように、薄い防眩層１と、この防眩層１の裏面に積層して接着される高透光性で薄い貼着層１０と、防眩層１の表面に透光性のシリコーン接着層２０を介し積層して一体接着される薄い透光層３０とを備え、これら防眩層１、貼着層１０、及び透光層３０をそれぞれ可撓性を有するシート状あるいはフィルム状とし、防眩層１を、複数の透明シリコーンゴムシート２と着色シリコーンゴムシート３とを横方向に互い違いに重ね並べて一体化することにより形成するとともに、これら透明シリコーンゴムシート２と着色シリコーンゴムシート３の接合面を相互に平行とし、図示しない情報表示体の液晶ディスプレイ上に着脱自在に粘着される貼着層１０の貼り付け面を鏡面状で平滑な透光性粘着面１１に形成するようにしている。
【００１２】
防眩層１は、透明なシリコーンゴム組成物と着色されたシリコーンゴム組成物とをそれぞれ所定の厚さのシートに成形して透明シリコーンゴムシート２と着色シリコーンゴムシート３とを複数形成し、これら複数の透明シリコーンゴムシート２と着色シリコーンゴムシート３とを交互かつ多重に積層するとともに、加圧加熱して一体的なブロック体を作製し、このブロック体をスライスすることにより製造される。この防眩層１は、可視角の範囲、透光性、取扱性等に鑑み、０．１５〜０．２５ｍｍの厚さに形成される。
【００１３】
透明シリコーンゴムシート２としては、市販のシリコーンゴムコンパウンドが使用される。具体的には、分子鎖末端がヒドロキシシリル基又はビニルシリル基で封鎖されたジオルガノポリシロキサンと有機過酸化物とからなる、一般にブルゴムと呼ばれるシリコーンゴム組成物、分子中にケイ素原子に結合したビニル基を少なくとも２個有するジオルガノポリシロキサンに分子中にケイ素原子に結合した水素原子(≡ＳｉＨ結合)を少なくとも３個有するオルガノハイドロジェンポリシロキサンと白金系触媒を配合した、いわゆる付加反応型のオルガノシリコーンゴム組成物等が例示される。
【００１４】
着色シリコーンゴムシート３は、上記シリコーンゴム組成物に、黒、青、緑、赤等、又はその他の色彩が着色されることにより形成され、透明シリコーンゴムシート２に図の水平横方向から積層される。この着色シリコーンゴムシート３としては、シリコーンゴム組成物にカーボンブラック、ベンガル等の黒色、赤色顔料や染料が適宜添加したものが一般的である。
なお、黒色顔料が添加されない場合には、遮光性確保のため、任意の顔料が添加されるが、この場合、遮光性が黒色顔料には及ばないので、遮光性を得るために所定の白色顔料が添加される。この白色顔料の添加量は、遮光性を確保しながら任意の色調が生じるよう選択される。
【００１５】
透明シリコーンゴムシート２と着色シリコーンゴムシート３の幅(図１の横方向の厚さ)は、自由に選択することができるが、透明性や平行光線透過率が透明シリコーンゴムシート２の幅／着色シリコーンゴムシート３の幅の比率で決定されること、可視角の範囲が透明シリコーンゴムシート２の屈折率と幅、情報表示体用の覗き見防止体の厚さにより決定されることに鑑みて選択される。具体的には、透明シリコーンゴムシート２の幅は、１００〜２００μｍ、好ましくは１２０〜１５０μｍに形成される。また、着色シリコーンゴムシート３の幅は、人間の視力に悪影響を及ぼさないよう１０〜５０μｍ、好ましくは１０〜３０μｍに形成される。透明シリコーンゴムシート２と着色シリコーンゴムシート３の幅を係る数値とすれば、防眩層１を透明性で平行光線透過率が略８０％以上、最大８５％以上、可視角９０°〜１２０°に形成することができる。
【００１６】
貼着層１０は、図１に示すように、例えば透明なシリコーンゴムシート等からなり、防眩層１の裏面に加硫して接着される。この透光性の貼着層１０は、情報表示体の液晶ディスプレイに粘着される貼り付け面が透光性粘着面１１であることが望ましい関係上、例えば鏡面状態のＰＥＴフィルムにカレンダーロール等を使用して厚さ１０〜３０μｍにシーティングされ、防眩層１の裏面に転写されて加硫接着され、その後、ＰＥＴフィルムが剥離されることにより防眩層１の裏面と一体化される。貼着層１０の情報表示体の液晶ディスプレイに対する粘着強度(ＪＩＳ  Ｋ  ６２５６)は、０．３０〜０．８０Ｎ／２５ｍｍ、好ましくは０．３０〜０．５０Ｎ／２５ｍｍに選択される。また、貼着層１０の透光性粘着面１１における鏡面光沢度(ＪＩＳ  Ｚ  ８７４１における入射角度６０°の光沢度)は１２０％以上に選択される。
【００１７】
シリコーン接着層２０は、プライマーを含有したシリコーン型の接着剤からなり、同図に示すように、スクリーン印刷等の方法により、防眩層１の裏面に印刷塗布されたり、あるいは透光層３０の接着面に１０〜３０μｍの厚さで印刷塗布される。
【００１８】
透光層３０は、図１に示すように、少なくとも１２０℃の耐熱性を有する高透明なプラスチックシート又はプラスチックフィルムからなり、表面に無反射処理が選択的に施されたり、ハードコート層が選択的に形成される。この透光層３０の具体的な材料としては、厚さ０．１〜０．５ｍｍ程度、好ましくは厚さ０．１〜０．３ｍｍ程度、より好ましくは０．１〜０．２ｍｍ程度のポリエステル、ポリサルホン、ポリカーボネート等が使用される。このような材質・厚さとすれば、引張り強さ、引き裂き強度等の物理的強度に優れたシート又はフィルムを得ることができる。また、防眩層１と一体化することにより、打ち抜き加工等の二次加工性も向上する。
【００１９】
このような構成の情報表示体用の覗き見防止体は、可視角の範囲、透光性、取扱性に鑑み、０．１５〜０．５ｍｍ程度の厚さに形成される。より好ましくは、小型で薄い携帯電話等の液晶ディスプレイに粘着する関係上、０．１５〜０．３ｍｍ程度の薄さに形成される。
【００２０】
上記構成によれば、情報表示体用の覗き見防止体の防眩層１が防眩効果を発揮するので、例え本人の傍らに第三者が存在する場合でも、情報表示体の液晶ディスプレイに表示される各種の情報を第三者が横から覗き見て読み取るのが不可能、あるいはきわめて困難になる。したがって、第三者に情報の漏洩することがなく、覗き見を気にすることなく、安心して情報を把握したり、発信することができる。また、情報表示体用の覗き見防止体により、太陽光や蛍光灯等の不要な外光を遮断したり、コントラストを向上させたり、あるいは可視角の範囲を調整することができる。したがって、液晶ディスプレイを手で覆ったり、情報表示体を傾けたり、あるいは情報表示体の向きを変えなくても、良好な視認性を有効に確保することができ、これを通じて操作性を大幅に向上させることが可能になる。
【００２１】
また、情報表示体用の覗き見防止体がシリコーンゴムを主材とするので、例え高温や低温の状態でも、熱変形や分解ガスの発生が生じることはない。また、防眩層１を、厚さ０．１５〜０．２５ｍｍ、透明性８０％以上、可視角９０°〜１２０°に形成し、透明シリコーンゴムシート２の幅を１００〜２００μｍに形成するとともに、着色シリコーンゴムシート３の幅を１０〜５０μｍに形成するので、可視角の範囲を自由に調整することができるだけではなく、携帯情報端末等、液晶表示体の表面からペン入力する場合、入力時のタッチ感覚がなんら損なわれることがなく、情報表示体表面の損傷防止や覗き見防止の効果も大いに期待できる。
【００２２】
また、情報表示体の液晶ディスプレイに情報表示体用の覗き見防止体を着脱自在に粘着するので、情報表示体用の覗き見防止体を簡単に貼り替えることが可能になる。これにより、表面が汚れたり、傷付いたり、あるいは色彩を変更してファッション感覚を楽しみたい場合には、簡易に貼り替えることができる。例えば、複数の着色シリコーンゴムシート３をそれぞれ色違いに着色すれば、技術的効果のみならず、意匠的効果をも得られる。
【００２３】
この際、貼着層１０の液晶ディスプレイに対する粘着強度を０．３０〜０．８０Ｎ／２５ｍｍ、好ましくは０．３０〜０．５０Ｎ／２５ｍｍの範囲とし、貼着層１０の透光性粘着面１１における鏡面光沢度を１２０％以上に定めれば、液晶ディスプレイに対する覗き見防止体の粘着度がきわめて適切なものとなる。したがって、位置ズレの場合等でも覗き見防止体を簡単に剥離し、繰り返し貼り替えることができ、しかも、液晶ディスプレイから覗き見防止体が短期間のうちに剥がれ落ちることもない。さらに、覗き見防止体を貼る際に液晶ディスプレイと貼着層１０との間にエアーが巻き込まれることもなく、覗き見防止体を適切に密着させることが可能になる。さらにまた、覗き見防止体の汚れが貼着層１０に付着しても、貼着層１０がシリコーンゴムからなる場合には、鏡面光沢のため汚れが直ぐに落ち、汚れの残存することがない。
【００２４】
次に、図２は本発明の第２の実施形態を示すもので、この場合には、覗き見防止体の防眩層１を、情報表示体の液晶ディスプレイ４０上に粘着する際、水平横方向に所定のバイアス角度で回転させ、透明シリコーンゴムシート２と着色シリコーンゴムシート３とが形成する縞模様を傾斜させるようにしている。
所定のバイアス角度としては、０〜４５°、情報表示部が液晶ディスプレイ４０の場合には１０〜３０°が好ましい。その他の部分については、上記実施形態と同様であるので説明を省略する。
【００２５】
本実施形態においても上記実施形態と同様の作用効果が期待でき、しかも、斜めに傾いた透明シリコーンゴムシート２と着色シリコーンゴムシート３の縞模様と液晶ディスプレイ４０の表示とが干渉し合うので、いわゆるモアレ縞の発生をきわめて有効に防止することができるのは明らかである。
【００２６】
【実施例】
実施例１
先ず、高透明性のシリコーンコンパウンドＳＥ‐１１８８Ｕ[東レ・ダウコイーニング・シリコーン株式会社製  商品名]を使用して厚さ１２０μｍの透明シリコーンゴムシートを成形した。透明シリコーンゴムシートを成形したら、シリコーンコンパウンドＫＥ‐９８１Ｕ[信越化学工業株式会社製  商品名]にカーボンブラックを添加して均一に混練し、厚さ１５μｍの着色シリコーンゴムシートを成形し、この着色シリコーンゴムシートを透明シリコーンゴムシートにシーティングし、これらを交互に積層してブロック体を作製した。
【００２７】
次いで、ブロック体を加熱加硫硬化させ、これを透明シリコーンゴムシートと着色シリコーンゴムシートの積層方向と垂直な面でスライスして透明シリコーンゴムシートと着色シリコーンゴムシートが相互に平行で、かつ交互に積層された厚さ２．４ｍｍの防眩層を作製した。この防眩層は、可視平行光線透過率が８０％以上、可視角が９０°のシリコーンゴムフィルムである。
【００２８】
次いで、防眩層の片面に、液状シリコーンゴムＫＥ‐１９３４Ａ／Ｂ[信越化学工業株式会社製  商品名]とプライマーＡＰ‐１[信越化学工業株式会社製  商品名]とからなるシリコーン接着層をスクリーン印刷機を使用して約３０μｍの厚さに塗布し、このシリコーン接着層に厚さ０．２ｍｍのポリカーボネートからなる高透明性の透光層を一体接着した。これら防眩層とポリカーボネートとの接着強度(ＪＩＳ  Ｋ  ６２５６)は１５Ｎ／２５ｍｍであった。
【００２９】
そして、ＰＥＴフィルムの鏡面側に液状シリコーンゴムＫＥ‐１９３４Ａ／Ｂ[信越化学工業株式会社製  商品名]をスクリーン印刷機を使用して約３０μｍの厚さに塗布し、防眩層の他の片面に貼着層を加熱加硫接着し、その後、ＰＥＴフィルムを剥離して鏡面状の透光性粘着面を形成し、情報表示体用の覗き見防止体を作製した。このシリコーンゴム、換言すれば、貼着層の透光性粘着面における鏡面光沢度(ＪＩＳ  Ｚ  ８７４１における入射角度６０°の光沢度)は１４０％であった。
【００３０】
こうして覗き見防止体を得たら、これを携帯電話機の液晶ディスプレイの大きさに応じてカットし、この覗き見防止体を液晶ディスプレイに粘着し、液晶ディスプレイに情報を表示した。携帯電話機の液晶ディスプレイと覗き見防止体の粘着強度(ＪＩＳ  Ｋ  ６２５６)は０．３８Ｎ／２５ｍｍであった。
液晶ディスプレイに情報を表示したところ、液晶ディスプレイの横約４５°からは黒く見えるだけで液晶ディスプレイに表示された情報を把握することはできなかった。
これに対し、液晶ディスプレイの正面からは液晶ディスプレイに表示された情報をきわめて容易、かつ鮮明に把握することができ、視認性の向上を確認した。また、覗き見防止体を液晶ディスプレイから剥がして再度粘着するという作業を複数回行ったが、覗き見防止体の粘着性になんら問題は生じなかった。
【００３１】
また、覗き見防止体の防眩層を、液晶ディスプレイに粘着する際、水平横方向に２０°のバイアス角度で回転させ、透明シリコーンゴムシートと着色シリコーンゴムシートとが形成する縞模様を傾斜させた。すると、モアレ縞もなく、正面から液晶ディスプレイに表示された情報を鮮明に把握することができた。
【００３２】
実施例２
透明シリコーンゴムシートを厚さ１５０μｍに形成し、着色シリコーンゴムシートを白色顔料と赤色顔料とを使用して厚さ１５μｍに形成した。着色シリコーンゴムシートについては、白色顔料と赤色顔料とを１０：０．１の割合で配合し、透明シリコーンゴムに混練して厚さ１５μｍとした。また、高透明性の透光層であるポリカーボネートを厚さ０．１ｍｍとし、その他は実施例１と同様にして薄いピンク色の情報表示体用の覗き見防止体を作製した。
【００３３】
こうして情報表示体用の覗き見防止体を得たら、これを情報携帯端末の液晶ディスプレイの大きさに応じてカットし、この覗き見防止体を液晶ディスプレイに粘着し、液晶ディスプレイに情報を表示した。すると、液晶ディスプレイの横約６０°からはピンク色に見えるだけで液晶ディスプレイに表示された情報を把握することはできなかった。
これに対し、液晶ディスプレイの正面からは液晶ディスプレイに表示された情報をきわめて容易、かつ鮮明に把握することができ、視認性の向上を確認した。また、覗き見防止体の上から情報携帯端末に付属している入力ペンで入力したが、なんら違和感がなく、誤動作等の問題を招くことなく、入力ペンで入力することができた。さらに、透光層であるポリカーボネートの表面に傷等付かなかった。
【００３４】
【発明の効果】
以上のように本発明によれば、情報の漏洩を抑制防止することができるという効果がある。また、液晶ディスプレイ等を手で覆ったり、情報表示体を傾けたり、あるいは情報表示体の向き等を特に変えなくても、表示された情報を比較的有効に把握することができる。また、覗き見防止体の可視角を広範囲で変化させることができ、しかも、情報表示体の情報表示部に対して覗き見防止体を適度な力で貼り付け、長期間使用することができる。
【図面の簡単な説明】
【図１】本発明に係る情報表示体用の覗き見防止体の実施形態を示す説明図である。
【図２】本発明に係る情報表示体用の覗き見防止体の第２の実施形態を示す平面図である。
【符号の説明】
１          防眩層
２          透明シリコーンゴムシート
３          着色シリコーンゴムシート
１０        貼着層
１１        透光性粘着面
２０        シリコーン接着層
３０        透光層
４０        液晶ディスプレイ(情報表示部)
【図１】
0003675752.tif 000002
【図２】
0003675752.tif 000003